(57)【要約】【課題】PLCモデムの設置位置の自由度を確保しつつ通信の品質を改善させることのできる装置を、より簡単な構成で実現することができるようにする。【解決手段】PLCユニット２５１においては、１つの装置である信号重畳分離装置２６１によって、PLC信号の分離、重畳が行われ、PLC信号が子ブレーカ２１２を迂回して到達する。コンセント２１０に接続された親モデムから出力されたPLC信号は、電気信号に重畳して、コンセント２１０のそれぞれの端子に接続されるケーブル２８１，２８２を伝達して信号重畳分離装置２６１に入力され、信号重畳分離装置２６１により電気信号から分離される。分離されたPLC信号は信号重畳分離装置２６１により電気信号に重畳され、端子２７１Ａ乃至２７１Ｃから出力される。本発明は、分電盤に接続される装置に適用することができる。【選択図】図１０
2010062887.tif 000002
【特許請求の範囲】
【請求項１】
親機として動作するPLCモデムの電源コードが接続される第１のコンセントと、
電気機器の電源コードが接続される第２のコンセントと、
分電盤のＬ１線幹線、Ｌ２線幹線、中性線幹線とそれぞれ電気的に接続されるＬ１端子、Ｌ２端子、Ｎ端子からなる端子と、
前記第１のコンセントの第１の端子と、前記Ｌ１端子とＬ２端子のうちの一方の端子を接続する配線、および、前記第１のコンセントの第２の端子と前記Ｎ端子を接続する配線上に設けられる第１の子ブレーカと、
前記第２のコンセントの第１の端子と、前記Ｌ１端子とＬ２端子のうちの前記一方の端子と異なる他方の端子を接続する配線、および、前記第２のコンセントの第２の端子と前記Ｎ端子を接続する配線上に設けられる第２の子ブレーカと、
前記第１のコンセントにおいて受信された信号から、前記PLCモデムにより出力されたPLC信号を分離し、電気信号に重畳して前記第１の子ブレーカを迂回して前記Ｌ１端子、Ｌ２端子、Ｎ端子に出力するとともに、前記Ｌ１端子、Ｌ２端子、Ｎ端子において受信された信号から、子機として動作するPLCモデムから出力されたPLC信号を分離し、電気信号に重畳して前記第１の子ブレーカを迂回して前記第１のコンセントに出力する信号重畳分離装置と
を備える信号処理装置。
【請求項２】
前記第１のコンセントと前記第１の子ブレーカの間に設けられる第１のブロッキングノイズフィルタと、
前記第２のコンセントと前記第２の子ブレーカの間に設けられる第２のブロッキングノイズフィルタと
をさらに備える請求項１に記載の信号処理装置。
【請求項３】
分電盤に接続される接続装置において、
親機として動作するPLCモデムと、
前記PLCモデムと接続され、前記PLCモデムとの間で信号の送受信を行うとともに、ブロードバンド回線を介して外部の装置と信号の送受信を行う通信装置と、
信号処理装置と
を備え、
前記信号処理装置は、
前記PLCモデムの電源コードが接続される第１のコンセントと、
前記通信装置の電源コードが接続される第２のコンセントと、
分電盤のＬ１線幹線、Ｌ２線幹線、中性線幹線とそれぞれ電気的に接続されるＬ１端子、Ｌ２端子、Ｎ端子からなる端子と、
前記第１のコンセントの第１の端子と、前記Ｌ１端子とＬ２端子のうちの一方の端子を接続する配線、および、前記第１のコンセントの第２の端子と前記Ｎ端子を接続する配線上に設けられる第１の子ブレーカと、
前記第２のコンセントの第１の端子と、前記Ｌ１端子とＬ２端子のうちの前記一方の端子と異なる他方の端子を接続する配線、および、前記第２のコンセントの第２の端子と前記Ｎ端子を接続する配線上に設けられる第２の子ブレーカと、
前記第１のコンセントにおいて受信された信号から、前記PLCモデムにより出力されたPLC信号を分離し、電気信号に重畳して前記第１の子ブレーカを迂回して前記Ｌ１端子、Ｌ２端子、Ｎ端子に出力するとともに、前記Ｌ１端子、Ｌ２端子、Ｎ端子において受信された信号から、子機として動作するPLCモデムから出力されたPLC信号を分離し、電気信号に重畳して前記第１の子ブレーカを迂回して前記第１のコンセントに出力する信号重畳分離装置と
を有する
接続装置。
【請求項４】
前記信号処理装置が、
前記第１のコンセントと前記第１の子ブレーカの間に設けられる第１のブロッキングノイズフィルタと、
前記第２のコンセントと前記第２の子ブレーカの間に設けられる第２のブロッキングノイズフィルタと
をさらに有する請求項３に記載の接続装置。
【発明の詳細な説明】
【技術分野】
【０００１】
本発明は、信号処理装置、接続装置に関し、特に、PLCモデムの設置位置の自由度を確保しつつ通信の品質を改善させることのできる装置を、より簡単な構成で実現することができるようにした信号処理装置、接続装置に関する。
【背景技術】
【０００２】
PLC(Power Line Communications)は、AC１００Ｖ、AC２００Ｖ等の交流電力を供給する電力線に搬送波を重畳してデータ通信を行う技術である。近年、２Ｍ〜３０ＭＨｚの高周波帯域を利用して高速なデータ通信を可能にする高速PLCの実用化が進められている。
【０００３】
PLCによるネットワークは、宅内や構内の壁面などに設けられるコンセントにPLCモデムを接続することによって構築される。
【０００４】
PLCモデムに設けられる電源コードのプラグをコンセントに差し込むことによりPLCモデムへの給電が行なわれるとともに、２Ｍ〜３０ＭＨｚの高周波の通信信号であるPLC信号が５０Hzまたは６０Hzの電気信号（電力信号）に重畳されてPLCモデムから電源コードに出力される。電源コードに出力されたPLC信号は、コンセントを経由して、建物内に施設された電力線を伝搬し、他のコンセントに接続されたPLCモデムにより受信される。
【０００５】
異なる場所のコンセントに接続された複数のPLCモデムのうちの１台は親機として動作し、親機以外のPLCモデムは子機として動作する。PLCにおいては、子機−子機間の通信であっても親機のPLCモデムを経由して行われる。以下、親機として動作するPLCモデムを単に親モデムといい、子機として動作するPLCモデムを単に子モデムという。
【０００６】
図１は、PLCによるネットワークが構築された配線の例を示す図である。
【０００７】
日本における家庭向けの一般的な給電方式は単相三線式である。図１に示されるように、分電盤１には主ブレーカ２１が設けられ、主ブレーカ２１に対して、１本の中性線１１と、Ｌ１線１２およびＬ２線１３の２本の電圧線の計３本の引込み線が接続される。主ブレーカ２１の負荷側には、中性線幹線３１、Ｌ１線幹線３２、およびＬ２線幹線３３の３本の幹線ケーブルが接続され、この幹線ケーブルに子ブレーカが接続される。
【０００８】
図１の例においては、中性線幹線３１とＬ１線幹線３２よりなるＬ１相の幹線ケーブルには子ブレーカ２２と子ブレーカ２３が分電盤１内で接続されている。子ブレーカ２２から、床下、壁の中などを通す形で宅内や構内に敷設されるＬ１相配線４１にはコンセント５１および５２が接続され、子ブレーカ２３から宅内や構内に敷設されるＬ１相配線４２にはコンセント５３が接続される。
【０００９】
また、図１の例においては、コンセント５１には親モデム６１が接続され、コンセント５２には子モデム６２が接続され、コンセント５３には子モデム６３が接続されている。図１においてコンセントに設けられる２つの口のうちの一方が黒で塗りつぶされていることは、その口に、PLCモデムから延びる電源コードのプラグが差し込まれていることを表している。
【００１０】
Ｌ２相側についても同様に、中性線幹線３１とＬ２線幹線３３よりなるＬ２相の幹線ケーブルには子ブレーカ２４と子ブレーカ２５が分電盤１内で接続されている。子ブレーカ２４から宅内や構内に敷設されるＬ２相配線４３にはコンセント５４が接続され、子ブレーカ２５から宅内や構内に敷設されるＬ２相配線４４にはコンセント５５が接続されている。コンセント５５には子モデム６４が接続されている。
【００１１】
このような状態でPLCモデムが接続されている場合、親モデム６１を基準としたときには、親モデム６１が接続されるコンセント５１と子モデム６２が接続されるコンセント５２は同じＬ１相配線４１に接続されているから、親モデム６１と子モデム６２は同相同系統の配線に接続されている関係になる。親モデム６１と子モデム６２の間では、PLC信号の送受信を問題なく行うことができる。
【００１２】
一方、子モデム６３は、親モデム６１が接続されるＬ１相配線４１と同相ではあるが異なる系統の配線であるＬ１相配線４２に接続されるコンセント５３に接続されているから、親モデム６１と子モデム６３は同相異系統の配線に接続されている関係になる。親モデム６１から子モデム６３に対して送信されるPLC信号、反対に子モデム６３から親モデム６１に対して送信されるPLC信号は、子ブレーカ２２と２３を経由して相手方に到達することになり、子ブレーカ２２と２３の通過損失によってPLC信号が減衰し、同相同系統の通信と比べて通信品質が劣化することになる。
【００１３】
また、子モデム６４は、親モデム６１が接続されるＬ１相配線４１と異なる相の配線であるＬ２相配線４４に接続されるコンセント５５に接続されているから、親モデム６１と子モデム６４は異相の配線に接続されている関係になる。親モデム６１から子モデム６４に対して送信されるPLC信号、反対に子モデム６４から親モデム６１に対して送信されるPLC信号は、子ブレーカ２２と２５に加えて、中性線幹線３１のみを経由して相手方に到達することになり、これによりPLC信号が著しく減衰する。親モデム６１と子モデム６４の間で通信を行うことは困難である。
【００１４】
そこで、誘導性結合器や容量性結合器によって構成される信号重畳分離装置を用いて、同相異系統間および異相間の通信の品質を改善させる技術が知られている。信号重畳分離装置は、５０Hzまたは６０Hzの電気信号に重畳されているPLC信号を分離し、また、電気信号にPLC信号を重畳するための装置である。信号重畳分離装置の詳細については後述する。
【００１５】
図２は、図１の構成に信号重畳分離装置を追加した配線の例を示す図である。
【００１６】
図２の例においては、親モデム６１が接続されているコンセント５１と子ブレーカ２２の間の位置Ｐ1と、子モデム６３が接続されているコンセント５３と子ブレーカ２３の間の位置Ｐ2が信号重畳分離装置７１によって接続されている。例えば、親モデム６１から出力されたPLC信号は、Ｌ１相配線４１上を流れる電気信号から信号重畳分離装置７１により分離され、Ｌ１相配線４２を流れる電気信号に重畳されて子モデム６３により受信される。
【００１７】
これにより、子ブレーカ２２と２３を経由しないで済むため、同相異系統間の通信の品質を改善させることができる。
【００１８】
また、図２の例においては、親モデム６１が接続されているコンセント５１と子ブレーカ２２の間の位置Ｐ1と、子モデム６４が接続されているコンセント５５と子ブレーカ２５の間の位置Ｐ3が信号重畳分離装置７２によって接続されている。例えば、親モデム６１から出力されたPLC信号は、Ｌ１相配線４１を流れる電気信号から信号重畳分離装置７２により分離され、Ｌ２相配線４４を流れる電気信号に重畳されて子モデム６４により受信される。
【００１９】
これにより、子ブレーカ２２と２５を経由しないで済むために子ブレーカを経由することによる減衰がなくなり、また、中性線幹線３１のみを使って送る必要がなくなるため、異相間の通信の品質を改善させることができる。
【００２０】
なお、図２において信号重畳分離装置７１，７２は分電盤１の外側に示されているが、実際には分電盤１の内部に取り付けられる。
【００２１】
特許文献１，２には、異相間の通信品質を改善させるための技術が開示されている。
【特許文献１】特開２００２−２３２３３２号公報
【特許文献２】特開２００７−８２１２４号公報
【発明の開示】
【発明が解決しようとする課題】
【００２２】
図２に示されるような配線を行った場合、異系統間、異相間の通信の品質を改善させることができるが、それはPLCモデムの接続関係に変化がないことが前提になる。
【００２３】
すなわち、例えば親モデム６１を、空いているコンセントであるコンセント５４に差し替えた場合、異系統間、異相間の通信の品質を改善させるといった効果を得ることができなくなることから、実質的に、PLCモデムの設置位置を変えることができなくなる。
【００２４】
本発明はこのような状況に鑑みてなされたものであり、PLCモデムの設置位置の自由度を確保しつつ通信の品質を改善させることのできる装置を、より簡単な構成で実現することができるようにするものである。
【課題を解決するための手段】
【００２５】
本発明の一側面の信号処理装置は、親機として動作するPLCモデムの電源コードが接続される第１のコンセントと、電気機器の電源コードが接続される第２のコンセントと、分電盤のＬ１線幹線、Ｌ２線幹線、中性線幹線とそれぞれ電気的に接続されるＬ１端子、Ｌ２端子、Ｎ端子からなる端子と、前記第１のコンセントの第１の端子と、前記Ｌ１端子とＬ２端子のうちの一方の端子を接続する配線、および、前記第１のコンセントの第２の端子と前記Ｎ端子を接続する配線上に設けられる第１の子ブレーカと、前記第２のコンセントの第１の端子と、前記Ｌ１端子とＬ２端子のうちの前記一方の端子と異なる他方の端子を接続する配線、および、前記第２のコンセントの第２の端子と前記Ｎ端子を接続する配線上に設けられる第２の子ブレーカと、前記第１のコンセントにおいて受信された信号から、前記PLCモデムにより出力されたPLC信号を分離し、電気信号に重畳して前記第１の子ブレーカを迂回して前記Ｌ１端子、Ｌ２端子、Ｎ端子に出力するとともに、前記Ｌ１端子、Ｌ２端子、Ｎ端子において受信された信号から、子機として動作するPLCモデムから出力されたPLC信号を分離し、電気信号に重畳して前記第１の子ブレーカを迂回して前記第１のコンセントに出力する信号重畳分離装置とを備える。
【００２６】
信号処理装置には、前記第１のコンセントと前記第１の子ブレーカの間に設けられる第１のブロッキングノイズフィルタと、前記第２のコンセントと前記第２の子ブレーカの間に設けられる第２のブロッキングノイズフィルタとをさらに設けることができる。
【００２７】
本発明の他の側面の接続装置は、分電盤に接続される接続装置において、親機として動作するPLCモデムと、前記PLCモデムと接続され、前記PLCモデムとの間で信号の送受信を行うとともに、ブロードバンド回線を介して外部の装置と信号の送受信を行う通信装置と、信号処理装置とを備える。前記信号処理装置は、前記PLCモデムの電源コードが接続される第１のコンセントと、前記通信装置の電源コードが接続される第２のコンセントと、分電盤のＬ１線幹線、Ｌ２線幹線、中性線幹線とそれぞれ電気的に接続されるＬ１端子、Ｌ２端子、Ｎ端子からなる端子と、前記第１のコンセントの第１の端子と、前記Ｌ１端子とＬ２端子のうちの一方の端子を接続する配線、および、前記第１のコンセントの第２の端子と前記Ｎ端子を接続する配線上に設けられる第１の子ブレーカと、前記第２のコンセントの第１の端子と、前記Ｌ１端子とＬ２端子のうちの前記一方の端子と異なる他方の端子を接続する配線、および、前記第２のコンセントの第２の端子と前記Ｎ端子を接続する配線上に設けられる第２の子ブレーカと、前記第１のコンセントにおいて受信された信号から、前記PLCモデムにより出力されたPLC信号を分離し、電気信号に重畳して前記第１の子ブレーカを迂回して前記Ｌ１端子、Ｌ２端子、Ｎ端子に出力するとともに、前記Ｌ１端子、Ｌ２端子、Ｎ端子において受信された信号から、子機として動作するPLCモデムから出力されたPLC信号を分離し、電気信号に重畳して前記第１の子ブレーカを迂回して前記第１のコンセントに出力する信号重畳分離装置とを有する。
【００２８】
接続装置の信号処理装置には、前記第１のコンセントと前記第１の子ブレーカの間に設けられる第１のブロッキングノイズフィルタと、前記第２のコンセントと前記第２の子ブレーカの間に設けられる第２のブロッキングノイズフィルタとをさらに設けることができる。
【発明の効果】
【００２９】
本発明によれば、PLCモデムの設置位置の自由度を確保しつつ通信の品質を改善させることのできる装置を、より簡単な構成で実現することができる。
【発明を実施するための最良の形態】
【００３０】
＜実施の形態１＞
図３は、親機として動作するPLCモデムを内蔵し、分電盤の異相間を分電盤の外部で接続させる接続装置の構成例を示す図である。
【００３１】
図３の分電盤１０１は、基本的に、図１，２に示される分電盤１と同様の構成を有している。すなわち、主ブレーカ１２１には中性線１１１、Ｌ１線１１２、およびＬ２線１１３が引込み線として接続され、主ブレーカ１２１の負荷側に、中性線幹線１３１、Ｌ１線幹線１３２、およびＬ２線幹線１３３が接続される。
【００３２】
中性線幹線１３１とＬ１線幹線１３２よりなるＬ１相の幹線ケーブルには子ブレーカ１４１乃至１４３が分電盤１０１内で接続され、中性線幹線１３１とＬ２線幹線１３３よりなるＬ２相の幹線ケーブルには子ブレーカ１４４乃至１４６が分電盤１内で接続される。子ブレーカ１４１乃至１４３に接続されるＬ１相配線、子ブレーカ１４４乃至１４６に接続されるＬ２相配線の先には図示せぬコンセントが接続され、それぞれのコンセントに、子機として動作するPLCモデムが適宜接続される。
【００３３】
端子１２３はＮ端子１２３Ａ、Ｌ１端子１２３Ｂ、Ｌ２端子１２３Ｃから構成され、それぞれ、中性線幹線１３１、Ｌ１線幹線１３２、Ｌ２線幹線１３３が接続される。
【００３４】
接続装置１０２は、分電盤１０１の近くの壁面に設置され、３ペアより線１０３によって分電盤１０１と接続される。接続装置１０２に設けられる端子２０９のＮ端子２０９Ａと、分電盤１０１のＮ端子１２３ＡがＮ線１０３Ａにより接続され、Ｌ１端子２０９Ｂと、分電盤１０１のＬ１端子１２３ＢがＬ１線１０３Ｂにより接続される。Ｌ２端子２０９Ｃと、分電盤１０１のＬ２端子１２３ＣがＬ２線１０３Ｃにより接続される。
【００３５】
また、接続装置１０２は、ONU(Optical Network Unit)１０４とEther（商標）ケーブル１０５によって接続される。ONU１０４は、光ファイバ回線１０６の終端装置であり、光ファイバ回線１０６を介して送信されてきた光信号をイーサ信号に変換して接続装置１０２に出力し、接続装置１０２から送信されてきたイーサ信号を光信号に変換して光ファイバ回線１０６に出力する。
【００３６】
図３に示されるように、接続装置１０２内には、主に、光ブロードバンドユニット２０１、親モデム２０３、コンセント２０５、子ブレーカ２０７、端子２０９、コンセント２１０、子ブレーカ２１２、クランプ方式の誘導性結合器２１４，２１５、および、容量性結合器２１６，２１７が設けられる。
【００３７】
光ブロードバンドユニット２０１は、ONU１０５との間で信号の送受信を行うとともに、Etherケーブル２０２によって接続される親モデム２０３との間でも信号の送受信を行う。光ブロードバンドユニット２０１は、プラグ２０１Ａがコンセント２０５に差し込まれることによって供給される電力によって動作する。
【００３８】
図３の例においては、プラグ２０１Ａはブロッキングノイズフィルタ２０４を挟んでコンセント２０５に差し込まれている。ブロッキングノイズフィルタ２０４は、光ブロードバンドユニット２０１のアダプターが発生するノイズを除去する。なお、接続装置１０２が光ファイバ回線１０６ではなくADSL(Asymmetric Digital Subscriber Line)回線に接続されるようにしてもよい。この場合、接続装置１０２の内部には光ブロードバンドユニット２０１に替えてADSLモデムが設けられ、ADSLモデムの電源コードのプラグがコンセント２０５に接続される。
【００３９】
コンセント２０５には、IVケーブル２０６を介して子ブレーカ２０７が接続される。子ブレーカ２０７の電源側は、IVケーブル２０８によって、端子２０９のＮ端子２０９Ａ、Ｌ２端子２０９Ｃに接続される。
【００４０】
親モデム２０３は、光ブロードバンドユニット２０１との間で信号の送受信を行う。また、親モデム２０３は、プラグ２０３Ａから電源コードを介して供給された、PLC信号が重畳された電気信号からPLC信号を分離して受信するとともに、PLC信号を電気信号に重畳してプラグ２０３Ａから出力する。親モデム２０３は、プラグ２０３Ａがコンセント２１０に差し込まれることによって供給される電力によって動作する。
【００４１】
コンセント２１０には、IVケーブル２１１を介して子ブレーカ２１２が接続される。子ブレーカ２１２の電源側は、IVケーブル２１３によって、端子２０９のＮ端子２０９Ａ、Ｌ１端子２０９Ｂに接続される。
【００４２】
図３の例においては、コンセント２１０と子ブレーカ２１２の間のIVケーブル２１１のＬ１線上の位置Ｐ11と、子ブレーカ２１２とＬ１端子２０９Ｂの間のIVケーブル２１３のＬ１線上の位置Ｐ12が誘導性結合器２１４によって接続されている。IVケーブル２１１，２１３のＬ１線を流れる電気信号に重畳されているPLC信号は、子ブレーカ２１２を迂回して誘導性結合器２１４上を流れる。
【００４３】
同様に、コンセント２１０と子ブレーカ２１２の間のIVケーブル２１１のＮ線上の位置Ｐ21と、子ブレーカ２１２とＮ端子２０９Ａの間のIVケーブル２１３のＮ線上の位置Ｐ22が誘導性結合器２１５によって接続されている。IVケーブル２１１，２１３のＮ線を流れるPLC信号は、子ブレーカ２１２を迂回して誘導性結合器２１５上を流れる。
【００４４】
また、コンセント２１０と、端子２０９のＮ端子２０９Ａ、Ｌ２端子２０９Ｃの間が容量性結合器２１６，２１７によって接続されている。
【００４５】
コンセント２１０において受信された信号から容量性結合器２１６により分離されたPLC信号は、容量性結合器２１７により電気信号に重畳され、子ブレーカ２１２を迂回してＮ端子２０９Ａ、Ｌ２端子２０９Ｃに到達する。反対に、Ｎ端子２０９Ａ、Ｌ２端子２０９Ｃにおいて受信された信号から容量性結合器２１７により分離されたPLC信号は、容量性結合器２１６により電気信号に重畳され、子ブレーカ２１２を迂回してコンセント２１０に到達する。容量性結合器と誘導性結合器は逆でもどちらを使っても構わない。
【００４６】
このように、接続装置１０２を用いることによって分電盤１０１内のＬ１相とＬ２相を接続装置１０２によって接続することができ、異相間の通信の品質を改善させることが可能になる。
【００４７】
例えば、分電盤１０１の子ブレーカ１４１に接続されたＬ１相配線の先にあるコンセントに接続されたPLCモデムと、子ブレーカ１４４に接続されたＬ２相配線の先にあるコンセントに接続されたPLCモデムの間の通信を考える。
【００４８】
前者のPLCモデムから出力されたPLC信号は、子ブレーカ１４１、Ｌ１相の幹線ケーブル（中性線幹線１３１、Ｌ１線幹線１３２）、端子１２３（Ｎ端子１２３Ａ、Ｌ１端子１２３Ｂ）、３ペアより線１０３（Ｎ線１０３Ａ、Ｌ１線１０３Ｂ）を介して接続装置１０２の端子２０９（Ｎ端子２０９Ａ、Ｌ１端子２０９Ｂ）において受信され、IVケーブル２１３、誘導性結合器２１４，２１５、コンセント２１０を介して親モデム２０３に到達する。
【００４９】
また、親モデム２０３から出力された後者のPLCモデムに対するPLC信号は、コンセント２１０、容量性結合器２１６，２１７、端子２０９（Ｎ端子２０９Ａ、Ｌ２端子２０９Ｃ）、３ペアより線１０３（Ｎ線１０３Ａ、Ｌ２線１０３Ｃ）を介して分電盤１０１の端子１２３（Ｎ端子１２３Ａ、Ｌ２端子１２３Ｃ）において受信され、幹線ケーブル（中性線幹線１３１、Ｌ２線幹線１３３）を介して子ブレーカ１４４に到達し、Ｌ２相配線とコンセントを介して送信先のPLCモデムにより受信される。
【００５０】
子ブレーカ１４１，１４４での損失は生じてしまうものの、２本の幹線ケーブルを使ってPLC信号を送ることができるため、異相間の通信であっても、同相異系統間の通信と同程度の品質を確保することが可能になる。
【００５１】
ここで、誘導性結合器２１４，２１５と、容量性結合器２１６，２１７において行われる信号処理について説明する。
【００５２】
図４は、誘導性結合器２１４，２１５において行われる信号処理について説明する図である。
【００５３】
図４に示されるように、誘導性結合器２１４のコア２１４ＡはIVケーブル２１１に被覆の上から取り付けられ、コア２１４ＣはIVケーブル２１３に被覆の上から取り付けられる。
【００５４】
親モデム２０３から出力され、IVケーブル２１１を流れる電気信号に重畳されたPLC信号は、コア２１４Ａにおいて分離され、子ブレーカ２１２を迂回するようにケーブル２１４Ｂを介してコア２１４Ｃに到達する。コア２１４Ａからケーブル２１４Ｂを介して伝達されたPLC信号は、IVケーブル２１３を流れる電気信号にコア２１４Ｃにおいて重畳され、子モデムに送信される。
【００５５】
一方、子モデムから出力されたPLC信号は、電気信号に重畳されてIVケーブル２１３を流れ、コア２１４Ｃにより分離される。コア２１４Ｃにより分離されたPLC信号は、子ブレーカ２１２を迂回するようにケーブル２１４Ｂを介してコア２１４Ａに到達し、IVケーブル２１１を流れる電気信号にコア２１４Ａにおいて重畳されて親モデム２０３に送信される。
【００５６】
誘導性結合器２１５についても同様に、コア２１５ＡはIVケーブル２１１に被覆の上から取り付けられ、コア２１５ＣはIVケーブル２１３に被覆の上から取り付けられる。コア２１５Ａにおいては、誘導性結合器２１４のコア２１４Ａと同様にしてPLC信号の分離、重畳が行われ、コア２１５Ｃにおいては、誘導性結合器２１４のコア２１４Ｃと同様にしてPLC信号の分離、重畳が行われる。
【００５７】
図５は、容量性結合器２１６，２１７において行われる信号処理について説明する図である。
【００５８】
図５に示されるように、容量性結合器２１６，２１７は、PLC信号の入出力を行う端子同士を直列に接続するようにして用いられる。
【００５９】
親モデム２０３から出力されたPLC信号は、電気信号に重畳して、コンセント２１０のそれぞれの端子に接続されるケーブル２１６Ａ，２１６Ｂを伝達して本体２１６Ｃに入力され、本体２１６Ｃにおいて電気信号から分離される。本体２１６Ｃにおいて分離されたPLC信号は、ケーブル２１６Ｄを介して容量性結合器２１７の本体２１７Ａに入力される。
【００６０】
本体２１７Ａに入力されたPLC信号は、Ｎ端子２０９Ａに接続されるケーブル２１７Ｂ、Ｌ２端子２０９Ｃに接続されるケーブル２１７Ｃを流れる電気信号に重畳され、子モデムに送信される。
【００６１】
一方、子モデムから出力されたPLC信号は、電気信号に重畳して、ケーブル２１７Ｂ，２１７Ｃを伝達して本体２１７Ａに入力され、本体２１７Ａにおいて電気信号から分離される。本体２１７Ａにより分離されたPLC信号は、ケーブル２１６Ｄを介して容量性結合器２１６の本体２１６Ｃに入力される。
【００６２】
本体２１６Ｃに入力されたPLC信号は、ケーブル２１６Ａ，２１６Ｂを流れる電気信号に重畳され、親モデム２０３に送信される。
【００６３】
このように、誘導性結合器２１４，２１５は、それぞれが信号分離重畳装置として機能し、容量性結合器２１６，２１７は、その２つが直列に接続されることによって信号分離重畳装置として機能する。
【００６４】
ところで、クランプ方式の誘導性結合器（図４）はIVケーブルを流れる信号からPLC信号を直接分離するものではなく、ケーブルの被覆の外から電磁誘導を利用して分離するものであるため、環境によっては１０dB近くの挿入損失や誤差が生じてしまう。従って、通信品質を確保する観点からは、誘導性結合器よりも容量性結合器を用いた方が好ましい。
【００６５】
＜実施の形態２＞
図６は、接続装置１０２の他の構成例を示す図である。
【００６６】
図６の例においては、図３の誘導性結合器２１４，２１５に替えて容量性結合器２２３，２２４が設けられ、コンセント２１０のプラグ２１０Ａが、子ブレーカ２１２に接続されるコンセント２２２にブロッキングノイズフィルタ２２１を挟んで差し込まれている。
【００６７】
ブロッキングノイズフィルタ２２１は、電源ノイズを除去するとともに、子ブレーカ２１２を通るPLC信号をブロックする。ブロッキングノイズフィルタ２２１は、容量性結合器によってバイパスしたPLC信号に対して子ブレーカ２１２を通るPLC信号を混入させないようにするために設けられる。
【００６８】
図６の容量性結合器２２３においては、コンセント２１０において受信された信号からPLC信号が分離され、分離されたPLC信号が容量性結合器２２４に出力される。容量性結合器２２３により分離されたPLC信号は、容量性結合器２２４により電気信号に重畳され、ブロッキングノイズフィルタ２２１、コンセント２２２、および子ブレーカ２１２を迂回してＮ端子２０９Ａ、Ｌ１端子２０９Ｂに到達する。反対に、Ｎ端子２０９Ａ、Ｌ１端子２０９Ｂにおいて受信された信号から容量性結合器２２４により分離されたPLC信号は、容量性結合器２２３により電気信号に重畳され、子ブレーカ２１２、コンセント２２２、およびブロッキングノイズフィルタ２２１を迂回してコンセント２１０に到達する。
【００６９】
図７は、図６に示される接続装置１０２の一部の構成を示す図である。
【００７０】
図７において、図６の構成と同じ構成には同じ符号を付してある。図７のMCBは子ブレーカを表し、BFはブロッキングノイズフィルタを表す。図７においては、コンセント２１０と子ブレーカ２１２の間に設けられる構成のうちのプラグ２１０Ａとコンセント２２２の図示を省略するとともに、コンセント２０５とブロッキングノイズフィルタ２０４の位置を入れ替えている。後述する図１０においても同様である。このように、コンセント２０５とブロッキングノイズフィルタ２０４については位置を入れ替えることが可能である。
【００７１】
このように、４つの容量性結合器を用いることによっても接続装置１０２を構成することが可能であるが、一般的に、容量性結合器は誘導性結合器と較べて高価であり、それを４つ用いるとなると接続装置１０２の価格が非常に高価なものになってしまう。
【００７２】
そこで、図７の構成によって実現される機能と同じ機能を１つのユニットで実現するようにし、そのユニットを用いることによって、接続装置１０２の構成をより簡単に、かつ安価なものにするようにしてもよい。
【００７３】
＜実施の形態３＞
図８は、図７の構成によって実現される機能と同じ機能を実現するPLCユニットの外観の例を示す図である。図３，６，７に示される構成と同じ構成には同じ符号を付してある。後述する図９，１０においても同様である。
【００７４】
図８に示されるように、PLCユニット２５１は箱形の形状を有している。PLCユニット２５１の正面２５１Ａには、端子２０９と、子ブレーカ２０７，２１２のスイッチが露出して設けられる。端子２０９のＮ端子２０９Ａ、Ｌ１端子２０９Ｂ、Ｌ２端子２０９Ｃには、図９に示されるように、３ペアより線１０３のＮ線１０３Ａ、Ｌ１線１０３Ｂ、Ｌ２線１０３Ｃがそれぞれ接続される。
【００７５】
また、図８に示されるように、PLCユニット２５１の側面２５１Ｂには、コンセント２０５と２１０が設けられる。図９に示されるように、コンセント２０５には光ブロードバンドユニット２０１のプラグ２０１Ａが差し込まれ、コンセント２１０には親モデム２０３のプラグ２０３Ａが差し込まれる。
【００７６】
図１０は、PLCユニット２５１の内部構成の例を示す図である。
【００７７】
図１０に示されるように、PLCユニット２５１においては、１つの装置である信号重畳分離装置２６１によって、PLC信号の分離、重畳が行われ、PLC信号が子ブレーカ２１２とブロッキングノイズフィルタ２２１を迂回して伝達するようになされている。
【００７８】
親モデム２０３が接続されるコンセント２１０側を下位側、分電盤１０１が接続される端子２０９側を上位側とすると、信号重畳分離装置２６１には、下位側の端子として端子２６１Ａ，２６１Ｂが設けられ、上位側の端子として端子２７１Ａ，２７１Ｂ，２７１Ｃが設けられる。
【００７９】
下位側の端子である端子２６１Ａには、コンセント２１０の２つの端子のうちの、IVケーブル２１１のＬ１線に接続される方の端子がケーブル２８１を介して接続され、端子２６１Ｂには、Ｎ線に接続される方の端子がケーブル２８２を介して接続される。
【００８０】
一方、上位側の端子である端子２７１Ａには、端子２０９のＮ端子２０９Ａがケーブル２８３Ａを介して接続され、端子２７１Ｂには、Ｌ１端子２０９Ｂがケーブル２８３Ｂを介して接続される。端子２７１Ｃには、Ｌ２端子２０９Ｃがケーブル２８３Ｃを介して接続される。
【００８１】
親モデム２０３から出力されたPLC信号は、電気信号に重畳して、コンセント２１０のそれぞれの端子に接続されるケーブル２８１，２８２を伝達して信号重畳分離装置２６１に入力され、信号重畳分離装置２６１により電気信号から分離される。分離されたPLC信号は信号重畳分離装置２６１により電気信号に重畳され、端子２７１Ａ乃至２７１Ｃから出力される。
【００８２】
電気信号に重畳して信号重畳分離装置２６１の端子２７１Ａ乃至２７１Ｃから出力された、図９の分電盤１０１のＬ１相配線にあるコンセントに接続された子モデムに対するPLC信号は、ケーブル２８３Ａ，２８３Ｂ、端子２０９（Ｎ端子２０９Ａ、Ｌ１端子２０９Ｂ）、３ペアより線１０３（Ｎ線１０３Ａ、Ｌ１線１０３Ｂ）を介して分電盤１０１の端子１２３（Ｎ端子１２３Ａ、Ｌ１端子１２３Ｂ）において受信され、幹線ケーブル（中性線幹線１３１、Ｌ１線幹線１３２）を介して送信先のPLCモデムにより受信される。
【００８３】
また、Ｌ２相配線にあるコンセントに接続された子モデムに対するPLC信号は、ケーブル２８３Ａ，２８３Ｃ、端子２０９（Ｎ端子２０９Ａ、Ｌ２端子２０９Ｃ）、３ペアより線１０３（Ｎ線１０３Ａ、Ｌ２線１０３Ｃ）を介して分電盤１０１の端子１２３（Ｎ端子１２３Ａ、Ｌ２端子１２３Ｃ）において受信され、幹線ケーブル（中性線幹線１３１、Ｌ２線幹線１３３）を介して送信先のPLCモデムにより受信される。
【００８４】
反対に、親モデム２０３に対するPLC信号は、電気信号に重畳して、端子２０９のそれぞれの端子に接続されるケーブル２８３Ａ，２８３Ｂ，２８３Ｃを伝達して信号重畳分離装置２６１に入力され、信号重畳分離装置２６１により電気信号から分離される。分離されたPLC信号は信号重畳分離装置２６１により電気信号に重畳され、端子２６１Ａ，２６１Ｂから出力される。電気信号に重畳して端子２６１Ａ，２６１Ｂから出力されたPLC信号は、ケーブル２８１，２８２、およびコンセント２１０を介して親モデム２０３に送信される。
【００８５】
このように、信号重畳分離装置２６１を用いることにより、親モデム２０３と子モデムの間で送受信されるPLC信号を、子ブレーカ２１２とブロッキングノイズフィルタ２２１を迂回させて送信先のPLCモデムに伝達させることができる。
【００８６】
また、誘導性結合器を４つも用いる必要がないため、コストを削減することができるとともに、図７に示される構成と較べて配線を簡単なものにすることができる。
【００８７】
なお、図１０に示される構成のうち、信号重畳分離装置２６１以外の構成は図７に示される構成と同じである。
【００８８】
すなわち、コンセント２０５の一方の端子とＮ端子２０９Ａを接続する配線であるIVケーブル２０６と２０８のＮ線、および、コンセント２０５の他方の端子とＬ２端子２０９Ｃを接続する配線であるIVケーブル２０６と２０８のＬ２線上にはブロッキングノイズフィルタ２０４と子ブレーカ２０７が設けられる。
【００８９】
また、コンセント２１０の一方の端子とＮ端子２０９Ａを接続する配線であるIVケーブル２１１と２１３のＮ線、および、コンセント２１０の他方の端子とＬ１端子２０９Ｂを接続する配線であるIVケーブル２１１と２１３のＬ１線上にはブロッキングノイズフィルタ２２１と子ブレーカ２１２が設けられる。
【００９０】
図１１は、図１０の信号重畳分離装置２６１の回路構成の例を示す図である。
【００９１】
図１１の構成においては、下位側の端子として、端子２６１Ａ，２６１Ｂの他に、図１０には示されていないグランド端子２６２が設けられている。また、上位側の端子として、端子２７１Ａ，２７１Ｂ，２７１Ｃの他に、図１０には示されていないグランド端子２７２が設けられている。
【００９２】
図１１に示されるように、端子２６１Ａには、突入電流防止のためのコンデンサであるコンデンサＣ1の一方の電極が接続され、端子２６１ＢにはコンデンサＣ2の一方の電極が接続される。コンデンサＣ1とＣ2の他方の電極はグランド端子２６２に接続される。
【００９３】
また、端子２６１Ａには、コンデンサＣ11、抵抗Ｒ1、コンデンサＣ12、抵抗Ｒ2が並行に接続される。コンデンサＣ11、抵抗Ｒ1の他端は上位側の端子であるＬ１端子２７１Ｂに接続され、コンデンサＣ12、抵抗Ｒ2の他端はＬ２端子２７１Ｃに接続される。
【００９４】
端子２６１Ｂには、コンデンサＣ13、抵抗Ｒ3も並行に接続される。コンデンサＣ13、抵抗Ｒ3の他端は上位側の端子であるＮ端子２７１Ａに接続される。
【００９５】
Ｎ端子２７１Ａ、Ｌ１端子２７１Ｂ、Ｌ２端子２７１Ｃには、突入電流防止のためのコンデンサであるコンデンサＣ21，Ｃ22，Ｃ23の一方の電極もそれぞれ接続される。コンデンサＣ21，Ｃ22，Ｃ23の他方の電極はグランド端子２７２に接続される。
【００９６】
＜実施の形態４＞
以上においては、光ブロードバンドユニット２０１、親モデム２０３、PLCユニット２５１等が、分電盤１０１の外部の機器である接続装置１０２に設けられるものとしたが、分電盤１０１の内部に設けられるようにしてもよい。
【００９７】
図１２は、ブレーカ、幹線ケーブルの他に、光ブロードバンドユニット２０１、親モデム２０３、PLCユニット２５１等を内蔵する分電盤１０１の構成例を示す図である。
【００９８】
図１２の例においては、PLCユニット２５１の端子２０９に幹線ケーブルが直接接続されている。PLCユニット２５１のコンセント２０５には光ブロードバンドユニット２０１のプラグ２０１Ａが差し込まれ、コンセント２１０には親モデム２０３のプラグ２０３Ａが差し込まれている。光ブロードバンドユニット２０１と親モデム２０３はEtherケーブル２０２によって接続されている。
【００９９】
このように、接続装置１０２の構成を分電盤１０１の内部に設けることも可能である。
【０１００】
分電盤１０１の内部に光ブロードバンドユニット２０１、親モデム２０３、PLCユニット２５１が設けられることによっても、上述したようにして、PLC信号をPLCユニット２５１内の子ブレーカ２１２を迂回させて親モデム２０３と各子モデムの間で送受信させることが可能になる。
【０１０１】
本発明の実施の形態は、上述した実施の形態に限定されるものではなく、本発明の要旨を逸脱しない範囲において種々の変更が可能である。
【図面の簡単な説明】
【０１０２】
【図１】PLCによるネットワークが構築された配線の例を示す図である。
【図２】図１の構成に信号重畳分離装置を追加した配線の例を示す図である。
【図３】接続装置の構成例を示す図である。
【図４】図３の誘導性結合器において行われる信号処理について説明する図である。
【図５】図３の容量性結合器において行われる信号処理について説明する図である。
【図６】接続装置の他の構成例を示す図である。
【図７】図６に示される接続装置の一部の構成を示す図である。
【図８】PLCユニットの外観の例を示す図である。
【図９】PLCユニットの接続装置内における接続の例を示す図である。
【図１０】PLCユニットの内部構成の例を示す図である。
【図１１】図１０の信号重畳分離装置の回路構成の例を示す図である。
【図１２】PLCユニットを内蔵する分電盤の構成例を示す図である。
【符号の説明】
【０１０３】
１０１  分電盤，  １０２  接続装置，  ２０１  光ブロードバンドユニット，  ２０２  Etherケーブル，  ２０３  親モデム，  ２０５  コンセント，  ２０７  子ブレーカ，  ２０９  端子，  ２１０  コンセント，  ２１２  子ブレーカ，  ２１４，２１５  誘導性結合器，  ２１６，２１７  容量性結合器，  ２５１  PLCユニット，  ２６１  信号重畳分離装置
【図１】
2010062887.tif 000003
【図２】
2010062887.tif 000004
【図３】
2010062887.tif 000005
【図４】
2010062887.tif 000006
【図５】
2010062887.tif 000007
【図６】
2010062887.tif 000008
【図７】
2010062887.tif 000009
【図８】
2010062887.tif 000010
【図９】
2010062887.tif 000011
【図１０】
2010062887.tif 000012
【図１１】
2010062887.tif 000013
【図１２】
2010062887.tif 000014